(57)【要約】      （修正有）【課題】基部、光ファイバ・モジュール、第1のサブマウント、第2のサブマウント、第1の発光素子および第2の発光素子を含む光通信装置を提供する。【解決手段】基部３０は、その上に第1の基準軸３００を定め、第1の基準軸で形成されるレセプタクル部３０２を有する。光ファイバ・モジュール３２は、レセプタクル部に載置され、光ファイバ３２０を含む。第1のサブマウント３４および第2のサブマウント３６は、第1の基準軸で基部に載置される。第1の発光素子３８は、第1のサブマウントに載置され、光ファイバに光学的に連結される。第2の発光素子４０は、第2のサブマウント３６に載置され、光ファイバに光学的に連結される。【選択図】図２
2009038369.tif 000002
【特許請求の範囲】
【請求項１】
基部；
該基部に載置される、光ファイバを含む光ファイバ・モジュール；
該基部に載置される第1のサブマウント；
該基部に載置される第2のサブマウントであって、該第1のサブマウントが、該第2のサブマウントおよび該ファイバ・モジュールの間で配置され、該第2のサブマウントに隣接し、該第2のサブマウントの高さは該第1のサブマウントのそれよりも高い第2のサブマウント；
該第1のサブマウントに載置され、該光ファイバの小面へ第1の前方への光信号を駆動することにより生成するため該光ファイバに光学的に連結される第1の発光素子であって、該第1の前方への光信号は、該光ファイバを通じて伝達される第1の発光素子；
および、該第2のサブマウントに載置され、該光ファイバの小面へ第2の前方への光信号を駆動することにより生成するため該光ファイバに光学的に連結される第2の発光素子であって、該第2の前方への光信号は、該光ファイバを通じて伝達される第2の発光素子；を含む光通信装置。
【請求項２】
前記基部がその上に第1の基準軸を定め、前記第1のサブマウントが前記第1の基準軸にあり、前記第2のサブマウントが前記第1の基準軸にある、請求項1の光通信装置。
【請求項３】
前記基部におよび前記第1の基準軸で載置され、前記第1のサブマウントおよび前記光ファイバ・モジュール間で配置された第1のレンズ・モジュールをさらに含み、ここで、前記第1の前方への光信号および前記第2の前方への光信号は、前記光ファイバの小面に該第1のレンズ・モジュールにより合焦される、請求項2の光通信装置。
【請求項４】
前記第1の発光素子が第1の端面発光型ダイオードであり、前記第2の発光素子が第2の端面発光型ダイオードである、請求項2の光通信装置。
【請求項５】
前記第2の端面発光型レーザは、互いに接触することなく前記第1の端面発光型ダイオード上で部分的に吊着される、請求項4の光通信装置。
【請求項６】
前記基部が複数の結合パッドを有し、前記第1のサブマウントが該結合パッドの1つにワイヤ結合される第1の伝導性の表面を有し、前記第2のサブマウントが、該結合パッドの1つにワイヤ結合される第2の伝導性の表面を有し、前記第1の端面発光型ダイオードが、該結合パッドの1つにワイヤ結合された第1の頂部電極、および、該第1のサブマウントの前記第1の伝導性の表面に結合される第1の炉底電極を有し、前記第2の端面発光型ダイオードが、該結合パッドの1つにワイヤ結合される第2の頂部電極、および、該第2のサブマウントの前記第2の伝導性の表面に結合される第2の炉底電極を有する、請求項4の光通信装置。
【請求項７】
前記基部に載置され、前記第1の端面発光型ダイオードによって発される第1の逆方向の光を受容するために、該第1の端面発光型ダイオードに光学的に連結される第1の光検出器であって、該第1の逆方向の光は、該第1の端面発光型ダイオードの電力を発するための補正基準を提供している第1の光検出器；および、
前記基部に載置され、前記第2の端面発光型ダイオードによって発される第2の逆方向の光を受容するために、該第2の端面発光型ダイオードに光学的に連結される第2の光検出器であって、該第2の逆方向の光は、該第2の端面発光型ダイオードの電力を発するための補正基準を提供している第2の光検出器をさらに含む、請求項4の光通信装置。
【請求項８】
前記第2のサブマウントは、前記第1の逆方向の光が開口部を通過できるように前記第1の基準軸に沿って形成される開口部を有する、請求項7の光通信装置。
【請求項９】
前記第1の前方への光信号および前記第2の前方への光信号の形式がHDCP仕様に対応する、請求項2の光通信装置。
【請求項１０】
該光通信装置上の前記基部がまた第2の基準軸を定め、該光通信装置は、前記基部上におよび前記第2の基準軸で載置される第3の光検出器；および、前記基部上におよび前記第1の基準軸で載置され、前記光ファイバを通じて伝達される逆方向の光信号を該逆方向の光信号を受容する該第3の光検出器に反射するため、それぞれ、前記光ファイバおよび該第3の光検出器に光学的に連結される波長選択性フィルタをさらに含む、請求項2の光通信装置。
【請求項１１】
前記基部上におよび前記第2の基準軸で載置され、前記波長選択性フィルタおよび前記第3の光検出器の間に配置された第2のレンズ・モジュールをさらに含み、そこで、前記逆方向の光信号は、該第2のレンズ・モジュールにより該第3の光検出器へ合焦される、請求項10の光通信装置。
【発明の詳細な説明】
【技術分野】
【０００１】
本発明は、光通信装置に関し、特に、2つの発光素子が同時に光ファイバの上でデータを伝達するのを可能にするために積層構造を使用する光通信装置に関する。
【背景技術】
【０００２】
非対称に2つの通信ユニット間でデータを伝達する、すなわち、2つの伝送方向に異なるデータ速度を生じることは、公知の実行法である。2つの伝送方向のデータ速度または帯域幅が大いに異なる場合、特にこれは適切である。非対称リンクを生じるため、光ファイバ・リンクを経て2つの通信ユニットを連結することは、公知の実行法である。光ファイバ・リンクは、各々の伝送方向のそれぞれの2つのファイバ、または、データが半2重方式または同時に伝達される場合（異なる波長が使用される場合）1つのファイバのみを有する。
【０００３】
さらに、非対称データ伝送が先行技術における1つの伝送方向のための高い帯域幅のみを必要とすることは、非効率的である。例えば、カメラ、制御ユニットおよびスクリーン間のリンクは、カメラからスクリーンまでデータを伝達するだけでギガbit/s範囲の高い帯域幅を必要とする。対照的に、制御ユニットによって反対方向において伝達されるカメラの制御信号は一般に、キロbit/s範囲の低い帯域幅のみを必要とする。
【０００４】
ここで図 1を参照する。図1は、先行技術の光通信装置を示す断面図である。図1に示すように、発光素子12は基部10に載置され、光通信は基部10に垂直の光軸14を有する。発光素子12は、光軸14に沿って光を発する。すなわち、発光素子12は面発光レーザダイオードである。
【０００５】
しかしながら、伝達を必要とするデータがより大きくなる場合、1つの発光素子のみでは、データを伝達するには不十分である。そのような状況の下で、異なる波長を有する2以上の発光素子を使うことにより、光ファイバ上でデータを伝達するのを考慮する必要がある。しかしながら、表面発光素子のパッケージ構造は、容易に達成することができない。
【０００６】
したがって、本発明の目的は、2以上の発光素子が同時に1つの光ファイバ上でデータを伝達することができる構造の光通信装置を提供することである。
【発明の開示】
【０００７】
本発明の好ましい実施態様によれば光通信装置は、基部、光ファイバ・モジュール、第1のサブマウント、第2のサブマウント、第1の発光素子および第2の発光素子を含む。それが上に載る基部は基準軸を定め、第1の基準軸に形成されたレセプタクル部を有する。光ファイバ・モジュールは、レセプタクル部に載置される。光ファイバ・モジュールは、光ファイバとともに入る。第1のサブマウントは、基部上に第1の基準軸で載置される。第2のサブマウントは基部上に第1の基準軸で載置され、そこで第1のサブマウントは、第2のサブマウントおよび光ファイバ・モジュールの間で配置され、第2のサブマウントに隣接している。第2のサブマウントの高さは、第1のサブマウントよりも高い。第1の発光素子は第1のサブマウントに載置され、光学的に光ファイバに連結される。第1の発光素子は、光ファイバの小面に第1の前方への光信号を駆動することによって生成するためにあり、第1の前方への光信号は、それから光ファイバを通じて伝達される。第2の発光素子は第2のサブマウントに載置され、光学的に光ファイバに連結される。第2の発光素子も、光ファイバの小面に第2の前方への光信号を駆動することによって生成するためにあり、第2の前方への光信号は、それから光ファイバを通じて伝達される。
【０００８】
したがって、本発明の光通信装置は、2つの発光素子がデータ速度を増すように光ファイバ上で同時にデータを伝達するのを可能にすることができる。さらに、本発明の光通信装置は、選ばれた発光素子の量により、双方向対称伝達方式、または、双方向非対称方式で使うことができる。
【０００９】
本発明の利点および意図は、添付の図面ともに以下の説明によって理解することができる。
〔発明の詳細な説明〕
【００１０】
本発明の目的は、光通信装置を提供することである。本発明の光通信装置は、2つの発光素子が同時に1つの光ファイバ上でデータを伝達することを可能にする。本発明の意図および特徴は、以下の好ましい実施態様によって詳述する。
【００１１】
図2を参照する。図2は、本発明の好ましい実施態様による光通信装置3を示す概略線図である。図2に示すように、光通信装置3は、基部30、光ファイバ・モジュール32、第1のサブマウント34、第2のサブマウント36、第1の発光素子38および第2の発光素子40を含む。
【００１２】
図2に示すように、基部30はその上に第1の基準軸300を定め、第1の基準軸300で形成されるレセプタクル部302を有する。光ファイバ・モジュール32は、レセプタクル部302に載置される。光ファイバ・モジュール32は、光ファイバ320を含む。
【００１３】
さらに、第1のサブマウント34は、基部30上におよび第1の基準軸300で載置される。第2のサブマウント36は、基部30上におよび第1の基準軸300で載置される。そこで、第1のサブマウント34は、第2のサブマウント36および光ファイバ・モジュール32の間で配置され、第2のサブマウント36に隣接している。第2のサブマウント36の高さは、第1のサブマウント34より高い。
【００１４】
また図2において、第1の発光素子38は第1のサブマウント34に載置され、光学的に光ファイバ320に連結される。第1の発光素子38は、光ファイバ320の小面に第1の前方への光信号を駆動することによって生成するためにある。第1の前方への光信号は、それから光ファイバ320を通じて伝達される。
【００１５】
同様に、第2の発光素子40は、第2のサブマウント36に載置され、光学的に光ファイバ320に連結される。第2の発光素子40は、光ファイバ320の小面に第2の前方への光信号を駆動することによって生成するためにある。第2の前方への光信号は、それから光ファイバ320を通じて伝達される。
【００１６】
実施態様において、本発明による光通信装置3は、第1のレンズ・モジュール42をさらに含む。第1のレンズ・モジュール42は、基部30上におよび第1の基準軸300で載置される。第1のレンズ・モジュール42は、第1のサブマウント34および光ファイバ・モジュール32の間で配置され、そこで、第1の前方への光信号および第2の前方への光信号は、第1のレンズ・モジュール32によって光ファイバ320の小面に合焦される。
【００１７】
実施態様において、第1の発光素子38は第1の端面発光型ダイオードであり、第2の発光素子40は第2の端面発光型ダイオードである。異なる波長のいくつかの端面発光型ダイオードに関して、実施態様においては、1310 nmおよび1550 nmの波長を有する端面発光型ダイオードが使われる。
【００１８】
図3Aおよび図3Bを参照する。図3Aは、図2の第1の発光素子38と第2の発光素子40との相対的な位置を示す上面図である。図3Bは、図3Aの側面図である。図3Aおよび図3Bに示すように、実施態様において、第2の端面発光レーザは、互いに接触することなく、第1の端面発光型ダイオード上で部分的に吊着される。
【００１９】
実施態様において、基部30は複数の結合パッド（図3Aおよび図3Bでは図示せず）を有し、第1のサブマウント34は、ワイヤ306によって結合パッドの1つにワイヤ結合される第1の伝導性の表面340を有する。同様に、第2のサブマウント36は、ワイヤ306によって結合パッドの1つにワイヤ結合される第2の伝導性の表面360を有する。
【００２０】
また、図3Aおよび図3Bにおいてそれぞれ、第1の端面発光型ダイオードは、ワイヤ306によって結合パッドの1つにワイヤ結合される第1の頂部電極380、および、第1のサブマウント34の第1の伝導性の表面340に結合される第1の炉底電極382を有し、第2の端面発光型ダイオードは、ワイヤ306によって結合パッドの1つにワイヤ結合される第2の頂部電極400、および、第2のサブマウント36の第2の伝導性の表面360に接着した第2の炉底電極402を有する。
【００２１】
図2を参照する。実施態様において、本発明による光通信装置3は、第1の光検出器44および第2の光検出器46をさらに含む。
【００２２】
図2に示すように、第1の光検出器44は、基部30に載置され、第1の端面発光型ダイオードに光学的に連結される。第1の光検出器44は、第1の端面発光型ダイオードによって発される第1の逆方向の光を受容するためにあり、第1の逆方向の光は、第1の端面発光型ダイオードの電力を発するための補正基準を提供する。
【００２３】
また図2において、第2の光検出器46は基部30に載置され、第2の端面発光型ダイオードに光学的に連結される。第2の光検出器46は、第2の端面発光型ダイオードによって発される第2の逆方向の光を受容するためにあり、第2の逆方向の光は、第2の端面発光型ダイオードの電力を発するための補正基準を提供する。
【００２４】
実施態様において、波長選択性フィルタは、第2の光検出器46に第2の逆方向の光を反射するため、基部30上におよび第1の基準軸300で、第1のサブマウント34と第1の光検出器44との間で載置されることができる。
【００２５】
図3Aおよび図3Bを参照する。第1の光検出器44が第1の端面発光型ダイオードによって発される第1の逆方向の光を受けることを可能にするため、実施態様において、第2のサブマウント36は、第1の逆方向の光が第1の光検出器44に開口部362を通過することができるように、第1の基準軸300に沿って形成される開口部362を有する。
【００２６】
他の一実施態様において、第1の前方への光信号および第2の前方への光信号の形式は、HDCP仕様に対応することは注目に値する。そして、ギガbit/sの範囲（すなわち圧縮されていないビデオ・ストリーミング）でデータを伝達するため、本発明の光通信装置は、データを伝達するため、グラスファイバでできている光ファイバを選ぶことが可能である。
【００２７】
さらに、図2を参照する。実施態様において、基部30はまたその上に第2の基準軸304を定め、光通信装置30は、第3の光検出器48および波長選択性フィルタ50をさらに含む。
【００２８】
図2に示すように、第3の光検出器48は、基部30上におよび第2の基準軸304で載置される。
【００２９】
また図2において、波長選択性フィルタ50は、基部30上におよび第1の基準軸300で載置される。波長選択性フィルタ50は、光ファイバ320および第3の光検出器48に光学的に連結される。波長選択性フィルタ50は、第3の光検出器48に光ファイバ320を通じて伝達される逆方向の光信号を反射するために使用される。第3の光検出器48は、逆方向の光信号を受容するためにある。そこにおいて、逆方向の信号の形式は、HDCP仕様に対応する。
【００３０】
さらに、他の一実施態様において、光ファイバ320は、複数の逆方向の光信号を伝達することができ、それぞれは、複数の波長選択性フィルタおよび複数の光検出器の配置によって、それぞれの光検出器に反射される。
【００３１】
また、図2を参照する。実施態様において、光通信装置3は、第2のレンズ・モジュール52をさらに含む。第2のレンズ・モジュール52は、基部30上におよび第2の基準軸304で載置される。第2のレンズ・モジュール52は、波長選択性フィルタ50および第3の光検出器48の間で配置され、そこにおいて、複数の逆方向の光信号は、第2のレンズ・モジュール52によって第3の光検出器48に合焦される。
【００３２】
先行技術と比較して、本発明の光通信装置は、2、3、4以上隣接した発光素子が同時に光ファイバ上でデータを伝達することが可能である。したがって、伝達される必要のあるデータがより大きくなる場合、発光素子によるデータの伝達不足の問題は解決される。
【００３３】
上記の例および説明で、本発明の特徴および意図はよく記載されている。当業者は、本発明の教示を保持する一方で、装置の多数の変形および変更が作成されてもよいと、すぐに認めることができる。したがって、添付の請求の範囲の境界および範囲のみによって制限されるように、上記の開示は解釈されるべきである。
【図面の簡単な説明】
【００３４】
【図１】先行技術の光通信装置を示す断面図である。
【図２】本発明の好ましい実施態様による光通信装置を示す概略線図である。
【図３Ａ】図2の第1の発光素子と第2の発光素子との相対的な位置を示す上面図である。
【図３Ｂ】図3Aの側面図である。
【図１】
2009038369.tif 000003
【図２】
2009038369.tif 000004
【図３Ａ】
2009038369.tif 000005
【図３Ｂ】
2009038369.tif 000006